(57)【要約】【課題】隣接するカバー体の間に形成される隙間を閉鎖することができる長尺物収容装置及び連結補助具を提供すること。【解決手段】長尺物収容装置１０は、トラフ１１と、トラフ１１の隣接するカバー体１５の連結箇所の内側に配設される連結補助具２１と、隣接するベース体１４同士を連結する連結部材３１とより構成されている。連結補助具２１は、トラフ１１の周方向においてカバー体１５に沿って延びる補助具本体２２よりなる。トラフ１１同士を連結したとき、隣接するカバー体１５の端縁間に、トラフ１１の周方向に延びる隙間Ｓが形成されているが、補助具本体２２は、前記隙間Ｓを、トラフ１１の周方向に沿って内側から閉鎖する。【選択図】      図１
2005341682.tif 000002
【特許請求の範囲】
【請求項１】
上向きに開口する半筒状のベース体に、下向きに開口する半筒状のカバー体を組付けて形成されて内部に管類又はケーブル類を収容する長尺物収容材と、
前記長尺物収容材の隣接する前記ベース体同士を該ベース体の内側から連結する連結部材と、
前記長尺物収容材の隣接する前記カバー体同士の連結箇所の内側に配設される連結補助具と
より構成された長尺物収容装置において、
前記連結補助具は、前記ベース体の開口を形成する一対の側壁に架設され隣接するカバー体の間に形成された隙間を閉塞する補助具本体よりなることを特徴とする長尺物収容装置。
【請求項２】
前記補助具本体には、該補助具本体が前記一対の側壁に架設された状態で長尺物収容材の周方向へ延びる溝が形成されている請求項１に記載の長尺物収容装置。
【請求項３】
前記溝は、補助具本体の上面と該上面に立設された一対の壁状体より形成されている請求項２に記載の長尺物収容装置。
【請求項４】
前記ベース体及びカバー体のうちの少なくともカバー体には、前記長尺物収容材の周方向に沿って延びる凹部及び凸部が、該長尺物収容材の長さ方向へ交互に連続して形成されている請求項１〜請求項３のいずれか一項に記載の長尺物収容装置。
【請求項５】
前記補助具本体と長尺物収容材との間には、補助具本体を前記隙間を閉塞する位置に位置決めする位置決め手段が設けられている請求項１〜請求項４のいずれか一項に記載の長尺物収容装置。
【請求項６】
前記位置決め手段は、補助具本体に形成された嵌入部と、前記ベース体の内面に形成された嵌入凹部とより構成されている請求項５に記載の長尺物収容装置。
【請求項７】
上向きに開口する半筒状のベース体に、下向きに開口する半筒状のカバー体を組付けて形成されて内部に管類又はケーブル類を収容する長尺物収容材における隣接する前記カバー体同士の連結箇所の内側に配設される連結補助具であって、
前記ベース体の開口を形成する一対の側壁に架設され隣接するカバー体の間に形成された隙間を閉塞する補助具本体よりなることを特徴とする連結補助具。
【請求項８】
前記補助具本体には、該補助具本体が前記一対の側壁に架設された状態で長尺物収容材の周方向へ延びる溝が形成されている請求項７に記載の連結補助具。
【請求項９】
前記溝は、補助具本体の上面と該上面に立設された一対の壁状体より形成されている請求項８に記載の連結補助具。
【発明の詳細な説明】
【技術分野】
【０００１】
本発明は、例えば、地中に埋設され、内部にケーブル類又は管類を収容して保護する長尺物収容装置及び連結補助具に関する。
【背景技術】
【０００２】
上記長尺物収容装置としては、例えば、特許文献１に開示されるようなものが挙げられる。図５に示すように、長尺物収容装置Ｐは、長尺状をなす複数本のトラフ（長尺物収容材）９０を連結具９６によって連結して構成されている。
【０００３】
前記トラフ９０は筒状に形成されている。また、トラフ９０は、略半筒状をなし上向きに開口したベース体９１と略半筒状をなし下向きに開口したカバー体９２とを、互いの開口が向き合うように組付けて形成されている。前記ベース体９１及びカバー体９２には、前記トラフ９０の周方向に沿って延びる凸部９４及び凹部９５が、それぞれトラフ９０の長さ方向へ交互に連続して形成されている。
【０００４】
そして、上記構成のトラフ９０は、隣接するトラフ９０の端部同士が前記連結具９６によって連結されている。前記連結具９６は、半筒状をなし上向きに開口した連結ベース体９７と略半筒状をなし下向きに開口した連結カバー体９８とを組付けることにより使用可能となっている。すなわち、連結具９６は、連結ベース体９７の一端と連結カバー体９８の一端とを組付けた連結部１００より開閉可能に形成され、連結ベース体９７の他端と連結カバー体９８の他端とが互いに重合可能に形成されている。さらに、連結ベース体９７の内面及び連結カバー体９８の内面には、それぞれ連結具９６の周方向へ延びる凸条９９が形成されている。
【０００５】
そして、隣接するトラフ９０の各端部に位置するベース体９１及びカバー体９２それぞれの外面に形成された凹部９５内に凸条９９を嵌め込んだ状態で、両トラフ９０の端部をその外周側から連結具９６によって包囲する。その結果、凹部９５と凸条９９との係合によって、連結具９６内からトラフ９０が抜け出ることが抑制され、連結具９６によってトラフ９０が連結されるとともに、長尺物収容装置Ｐが構成される。
【０００６】
ところが、上記長尺物収容装置Ｐにおいては、トラフ９０の外周面よりも連結具９６の外周面が外方へ突出しており、トラフ９０の外周面と連結具９６の外周面とが同一面上に位置せず見栄えが非常に悪いという問題があった。また、長尺物収容装置Ｐが設置された設置面に対し、連結具９６の外面は接するが、トラフ９０の外面において前記設置面に対し、接しない箇所が生じ、長尺物収容装置Ｐの設置状態が非常に不安定であるという問題があった。
【０００７】
そこで、本出願人は、上記問題を解決するために、トラフ９０同士をトラフ９０の内側で連結する連結具（従来技術）を提案している。すなわち、図６に示すように、連結具１０１は、前記ベース体９１同士を内側から連結する。連結具１０１は、円弧状をなす連結具本体１０２よりなり、連結具本体１０２の下面にはベース体９１の凸部９４の内側に嵌合可能な嵌合部１０３が２箇所に形成されている。そして、隣接するベース体９１の各端部に位置する凸部９４の内側に嵌合部１０３をそれぞれ嵌合する。その結果、連結具１０１によってベース体９１同士が連結される。その後、ベース体９１にカバー体９２を組付けてトラフ９０を形成すると、トラフ９０同士が連結され、トラフ９０と連結具１０１とより長尺物収容装置Ｐが形成される。
【特許文献１】特開２００３−２４０１８７号公報（図１２）
【発明の開示】
【発明が解決しようとする課題】
【０００８】
ところが、従来技術の連結具１０１を用いた長尺物収容装置Ｐでは、隣接するベース体９１同士が、それらベース体９１の端縁が若干離間するように連結具１０１によって連結される。このため、隣接するカバー体９２の端縁同士の間に、トラフ９０の周方向へ延びる隙間Ｔが形成されてしまう。このようにカバー体９２同士の間に隙間Ｔが形成されると、長尺物収容装置Ｐの見栄えが非常に悪く美観が損なわれ、また、隙間Ｔからトラフ９０内に埃が浸入する虞があった。
【０００９】
本発明の目的は、隣接するカバー体の間に形成される隙間を閉鎖することができる長尺物収容装置及び連結補助具を提供することにある。
【課題を解決するための手段】
【００１０】
上記問題点を解決するために、請求項１に記載の長尺物収容装置の発明は、上向きに開口する半筒状のベース体に、下向きに開口する半筒状のカバー体を組付けて形成されて内部に管類又はケーブル類を収容する長尺物収容材と、前記長尺物収容材の隣接する前記ベース体同士を該ベース体の内側から連結する連結部材と、前記長尺物収容材の隣接する前記カバー体同士の連結箇所の内側に配設される連結補助具とより構成された長尺物収容装置において、前記連結補助具は、前記ベース体の開口を形成する一対の側壁に架設され隣接するカバー体の間に形成された隙間を閉塞する補助具本体よりなることを要旨とする。
【００１１】
また、請求項７に記載の連結補助具の発明は、上向きに開口する半筒状のベース体に、下向きに開口する半筒状のカバー体を組付けて形成されて内部に管類又はケーブル類を収容する長尺物収容材における隣接する前記カバー体同士の連結箇所の内側に配設される連結補助具であって、前記ベース体の開口を形成する一対の側壁に架設され隣接するカバー体の間に形成された隙間を閉塞する補助具本体よりなることを要旨とする。
【００１２】
したがって、請求項１及び請求項７に記載の発明においては、補助具本体がベース体の開口を形成する一対の側壁に架設されると、補助具本体は長尺物収容材の周方向におけるカバー体の延びる方向に沿うように長尺物収容材の内側に配置される。また、この補助具本体は、隣接するカバー体の連結箇所の内側に配設される。したがって、隣接するカバー体同士の端縁間に形成された、長尺物収容材の周方向へ延びる隙間はその全体が補助具本体により閉鎖され、カバー体同士の間に隙間が開放した状態で形成されることがない。
【００１３】
請求項２に記載の発明は、請求項１に記載の長尺物収容装置において、前記補助具本体には、該補助具本体が前記一対の側壁に架設された状態で長尺物収容材の周方向へ延びる溝が形成されていることを要旨とする。したがって、請求項２の発明は請求項１において、隣接するカバー体の端縁の間における隙間を通過した雨水等が、長尺物収容材の周方向に沿って流れても、溝によって雨水等が長尺物収容材の幅方向端部側へ向かって排出され、雨水等が長尺物収容材内に侵入することを防止できる。
【００１４】
請求項３に記載の発明は、請求項２に記載の長尺物収容装置において、前記溝に関し、雨水等が長尺物収容材内に侵入することを防止するための好適な一態様について言及するものである。すなわち、前記溝は、補助具本体の上面と該上面に立設された一対の壁状体より形成されている。
【００１５】
請求項４に記載の発明は、請求項１〜請求項３のいずれか一項に記載の長尺物収容装置において、前記ベース体及びカバー体のうちの少なくともカバー体に、前記長尺物収容材の周方向に沿って延びる凹部及び凸部が、該長尺物収容材の長さ方向へ交互に連続して形成されていることを要旨とする。これは、長尺物収容材の一態様について言及するものである。
【００１６】
請求項５に記載の発明は、請求項１〜請求項４のいずれか一項に記載の長尺物収容装置において、前記補助具本体と長尺物収容材との間には、補助具本体を前記隙間を閉塞する位置に位置決めする位置決め手段が設けられていることを要旨とする。したがって、位置決め手段によって、補助具本体が前記隙間を閉塞する位置に位置決めされ、補助具本体が長尺物収容材の長さ方向に移動して、隙間が開放されてしまうことを抑制することができる。
【００１７】
請求項６に記載の発明は、請求項５に記載の長尺物収容装置において、前記位置決め手段に関し、補助具本体が長尺物収容材の長さ方向に移動して、隙間が開放されてしまうことを抑制するのを実現するために好適な一態様について言及するものである。すなわち、前記位置決め手段は、補助具本体に形成された嵌入部と、前記ベース体の内面に形成された嵌入凹部とより構成されている。
【００１８】
請求項８に記載の発明は、請求項７に記載の連結補助具において、前記補助具本体には、該補助具本体が前記一対の側壁に架設された状態で長尺物収容材の周方向へ延びる溝が形成されていることを要旨とする。したがって、請求項８の発明は請求項７において、隣接するカバー体の端縁の間における隙間を通過した雨水等が、長尺物収容材の周方向に沿って流れても、溝によって雨水等が長尺物収容材の幅方向端部側へ向かって排出され、雨水等が長尺物収容材内に侵入することを防止できる。
【００１９】
請求項９に記載の発明は、請求項８に記載の連結補助具において、前記溝に関し、雨水等が長尺物収容材内に侵入することを防止するための好適な一態様について言及するものである。すなわち、前記溝は、補助具本体の上面と該上面に立設された一対の壁状体より形成されている。
【発明の効果】
【００２０】
本発明の長尺物収容装置及び連結補助具によれば、隣接するカバー体の間に形成される隙間を閉鎖することができる。
【発明を実施するための最良の形態】
【００２１】
以下、本発明を具体化した長尺物収容装置及び連結補助具の一実施形態を図１〜図４にしたがって説明する。
図１に示すように、長尺物収容装置１０は、筒状をなすトラフ（長尺物収容材）１１と、該トラフ１１の上側半分同士を連結する連結補助具２１と、トラフ１１の下側半分同士を連結する連結部材３１とより構成されている。
【００２２】
まず、前記トラフ１１について説明する。図１及び図２に示すように、合成樹脂製のトラフ１１は略四角筒状をなし、ケーブル類としてのケーブルＫを内部に収容する。そして、トラフ１１内にケーブルＫが収容されることによって、ケーブルＫが風雨等の外部要因から保護される。トラフ１１は可撓性を有し、若干の曲げが可能に形成されている。
【００２３】
トラフ１１は、長尺状及び半筒状をなすベース体１４とカバー体１５とを組付けて構成されている。前記ベース体１４は、その長さ方向に対して直交する面における断面視が略Ｕ字状に形成され、上向きに開口するように形成されている。また、ベース体１４の壁面は、トラフ１１の長さ方向に凹凸をなす波形状に形成されている。
【００２４】
即ち、ベース体１４は、壁面の外側に突出するベース外側凸条１４ａと、壁面の内側に突出する凸部としてのベース内側凸条１４ｂとが交互に複数並設されて形成されている。また、ベース体１４の外面において、隣接するベース外側凸条１４ａの間には凹部としてのベース外側凹条１４ｄが形成されている。各ベース外側凸条１４ａ、各ベース内側凸条１４ｂ及びベース外側凹条１４ｄはそれぞれベース体１４の長さ方向に対して直交する方向、すなわち、トラフ１１の周方向に延びるとともに、その直交する面における断面視が略Ｕ字状をなすように形成されている。ベース外側凸条１４ａ、ベース外側凹条１４ｄ及びベース内側凸条１４ｂはそれぞれ互いに平行であるとともに、隣接するベース外側凸条１４ａ、隣接するベース外側凹条１４ｄ及び隣接するベース内側凸条１４ｂ間の間隔が一定となっている。
【００２５】
各ベース外側凸条１４ａを形成する壁面の内側、即ち、隣接するベース内側凸条１４ｂの間には、それぞれ内部空間が形成されている。そして、その内部空間によりベース体１４の内面には凹部としてのベース内側凹条１４ｃが複数箇所に形成されている。各ベース内側凹条１４ｃはそれぞれベース体１４の長さ方向に対して直交する方向に延びるように、ベース体１４の内面に凹設されている。そして、ベース体１４の外面にはベース外側凸条１４ａとベース外側凹条１４ｄが、該トラフ１１の長さ方向へ交互に連続して形成され、ベース体１４の内面にはベース内側凸条１４ｂとベース内側凹条１４ｃとが該トラフ１１の長さ方向へ交互に連続して形成されている。
【００２６】
さらに、図４に示すように、各ベース外側凸条１４ａの両端部には、同ベース外側凸条１４ａを形成する壁がベース体１４内方へ延びるように形成された段差部１４ｇが形成されている。そして、この段差部１４ｇの下面により、ベース外側凸条１４ａの内側となるベース内側凹条１４ｃに係止部１４ｈが形成されている。各段差部１４ｇの上面にはそれぞれ係合突部１４ｅが上方へ延びるように形成され、各係合突部１４ｅの外側面にはそれぞれ係合突起１４ｆが外方に向かって突設されている。各係合突部１４ｅの内側は嵌入凹部１４ｍとして機能するようになっている。
【００２７】
次に、前記カバー体１５について説明する。図１に示すように、前記カバー体１５は、その長さ方向に対して直交する面における断面視が略逆Ｕ字状に形成され、下向きに開口するように形成されている。カバー体１５の壁面は、トラフ１１の長さ方向に凹凸をなす波形状に形成されている。即ち、カバー体１５は、壁面の外側に突出する凸部としてのカバー外側凸条１５ａと、壁面の内側に突出する凸部としてのカバー内側凸条１５ｂとが交互に複数並設されて形成されている。隣接するカバー外側凸条１５ａの間には凹部としてのカバー外側凹条１５ｅが形成されている。各カバー外側凸条１５ａ、カバー外側凹条１５ｅ及び各カバー内側凸条１５ｂはそれぞれトラフ１１の長さ方向に対して直交する方向、すなわち、トラフ１１の周方向に延びるとともに、その直交する面における断面視が略逆Ｕ字状をなすように形成されている。それらカバー外側凸条１５ａ、カバー外側凹条１５ｅ及びカバー内側凸条１５ｂはそれぞれ互いに平行である。また、隣接するカバー外側凸条１５ａ、隣接するカバー内側凸条１５ｂ及び隣接するカバー外側凹条１５ｅ間の間隔が一定となっている。
【００２８】
前記カバー外側凸条１５ａを形成する壁面の内側、即ち、隣接するカバー内側凸条１５ｂの間には、それぞれ内部空間が形成され、その内部空間により、カバー体１５に凹部としてのカバー内側凹条１５ｄが形成されている。すなわち、本実施形態では、カバー体１５には、カバー内側凹条１５ｄが複数箇所に形成されている。そして、カバー体１５の外面には、トラフ１１の周方向に沿って延びるカバー外側凸条１５ａ及びカバー外側凹条１５ｅが該トラフ１１の長さ方向へ交互に連続して形成され、カバー体１５の内面には、トラフ１１の周方向に沿って延びるカバー内側凸条１５ｂ及びカバー内側凹条１５ｄが該トラフ１１の長さ方向へ交互に連続して形成されている。図４に示すように、各カバー外側凸条１５ａの両端部には、それぞれ係合段部１５ｃがカバー体１５の内方へ向かって水平に延びた後、下方へ延びるように屈曲形成されている。
【００２９】
そして、各カバー内側凹条１５ｄ内に各ベース外側凸条１４ａの両係合突部１４ｅをそれぞれ嵌入させ、さらに係合突起１４ｆと係合段部１５ｃとを係合させることにより、ベース体１４とカバー体１５とが組み付けられ、トラフ１１が構成される。トラフ１１は長さ方向へ凹凸状に形成されて可撓性を有し、トラフ１１の長さ方向における任意の位置から曲げ変形が可能に形成されている。
【００３０】
次に、連結補助具２１について説明する。図３に示すように、合成樹脂材料製の連結補助具２１は、略逆Ｕ字状をなすように湾曲形成された補助具本体２２と、該補助具本体２２に一体形成された壁状体２３と、補助具本体２２に一体形成された嵌入部２４及び当接部２５とよりなる。補助具本体２２の両端部外面には、補助具本体２２の長辺側縁部に沿って延びる嵌入部２４が形成されている。この嵌入部２４は、それぞれ係合突部１４ｅの内側となる嵌入凹部１４ｍに嵌入可能に形成されている。各嵌入部２４の下端面には嵌入突起２４ａが突設されている。補助具本体２２の両端部外面において、嵌入部２４の上部には当接部２５が、補助具本体２２の短辺方向へ延びるように形成されている。この当接部２５は、嵌入部２４が嵌入凹部１４ｍに嵌入された状態で、ベース体１４の開口上端１４ｋに当接支持されるようになっている。
【００３１】
補助具本体２２の長さ方向両側縁において、当接部２５の間にはそれぞれ壁状体２３が逆Ｕ字状をなすように外方へ立設されている。各壁状体２３の補助具本体２２の長さ方向に沿った長さはカバー内側凹条１５ｄの、トラフ１１の周方向への長さより若干短くなっている。また、各壁状体２３の立設長さ（補助具本体２２の上面から壁状体２３の上端までの長さ）は、カバー内側凹条１５ｄの最も深い位置における深さとほぼ同じに設定されている。そして、補助具本体２２の上面と、一対の壁状体２３とによって、連結補助具２１には上方に向かって開口する溝Ｍが形成されている。補助具本体２２及び壁状体２３が逆Ｕ字状をなすように湾曲しているため、溝Ｍも逆Ｕ字状をなすように湾曲して延びるように形成されている。
【００３２】
次に、連結部材３１について説明する。図３に示すように、合成樹脂材料製の連結部材３１は、正面視略Ｕ字状をなすように湾曲形成された本体３２を備えている。この本体３２の長さ方向に延びる両側縁部には、それぞれ嵌合部３３が外方へ突設されている。嵌合部３３の、トラフ１１の周方向に沿った長さはベース外側凸条１４ａの、トラフ１１の周方向に沿った長さとほぼ同じに形成されている。さらに、各嵌合部３３の厚みは、前記ベース外側凸条１４ａを形成する相対向する内面の間隔より若干小さく設定されている。そして、各嵌合部３３はそれぞれベース外側凸条１４ａの内側、即ち、ベース内側凹条１４ｃに嵌合可能に形成されている。本体３２の両端上面には、連結補助具２１の嵌入突起２４ａが嵌入可能な嵌入孔３２ａが形成されている。
【００３３】
次に、前記連結補助具２１及び連結部材３１を使用してトラフ１１を連結し、長尺物収容装置１０を形成する方法について説明する。
まず、ケーブルＫの布設経路に沿って、ベース体１４を必要本数だけ設置し、各ベース体１４の端部同士をそれぞれ隣接させる。次いで、連結部材３１における一方の嵌合部３３を、隣接する一対のベース体１４のうち、一方のベース体１４の端部に位置するベース内側凹条１４ｃ内にベース体１４の内側から押し込む。すると、嵌合部３３の外面により、両係合突部１４ｅを形成するベース体１４の壁が外方へ押圧され、嵌合部３３が両係合突部１４ｅの内側を通過する。その後、係合突部１４ｅを形成するベース体１４の壁が元の形状に復帰するとともに、嵌合部３３がベース内側凹条１４ｃ内に嵌合され、本体３２が一方のベース体１４に取着される。
【００３４】
続いて、一方の嵌合部３３をベース内側凹条１４ｃに嵌合したと同様に、連結部材３１における他方の嵌合部３３を、他方のベース体１４の端部に位置するベース内側凹条１４ｃ内に嵌合する。すると、一対の嵌合部３３がそれぞれベース体１４のベース内側凹条１４ｃ内に嵌合され、本体３２、即ち連結部材３１により隣接するベース体１４同士が内側から連結される。このとき、嵌合部３３の上面が係止部１４ｈに係止して、連結部材３１のベース体１４上方への抜け出しが抑制される。そして、上記作業がケーブルＫの経路に沿ってベース体１４の必要本数だけ行われる。続けて、ベース体１４内にケーブルＫが収容される。
【００３５】
次に、連結補助具２１の嵌入突起２４ａを、ベース体１４同士を連結した連結部材３１の嵌入孔３２ａに嵌入するとともに、嵌入部２４を嵌入凹部１４ｍの内側に嵌入する。すると、嵌入部２４と嵌入凹部１４ｍとより、連結補助具２１のベース体１４（トラフ１１）の長さ方向への移動が規制される。このとき、当接部２５がベース体１４の開口上端１４ｋに当接して連結補助具２１がベース体１４に対して一定位置に位置決めされる。すなわち、ベース体１４の開口上端１４ｋによって、連結補助具２１がカバー体１５に支持される。また、連結補助具２１がベース体１４に支持された状態において、補助具本体２２は、ベース体１４の開口を形成する一対の側壁間に架設される。補助具本体２２が架設された状態において、隣接する両ベース体１４の開口における長さ方向に沿った一部は、それぞれトラフ１１の周方向へ延びる補助具本体２２によって閉塞される。
【００３６】
次いで、各カバー内側凹条１５ｄ内に各ベース外側凸条１４ａの両係合突部１４ｅをそれぞれ嵌入させ、さらに係合突起１４ｆと係合段部１５ｃとを係合させることにより、各ベース体１４それぞれにカバー体１５が組み付けられる。このとき、隣接するカバー体１５の各端部に位置するカバー内側凹条１５ｄに連結補助具２１の各壁状体２３を係合させる。その結果、各ベース体１４とカバー体１５とよりそれぞれトラフ１１が構成されるとともに、それらトラフ１１同士が連結部材３１により連結されて長尺物収容装置１０が構成される。この長尺物収容装置１０において、連結補助具２１は、隣接するカバー体１５同士がトラフ１１の長さ方向へ移動するのを規制し、トラフ１１同士の連結を補助している。
【００３７】
図１に示すように、トラフ１１が連結された状態において、補助具本体２２が、隣接するカバー体１５の連結箇所の内側で、トラフ１１の周方向に延びるように開口上端１４ｋに支持されている。すなわち、隣接するカバー体１５の連結箇所の内側において、連結補助具２１の補助具本体２２は、ベース体１４の開口を形成する一対の側壁間に架設されて、ベース体１４の開口の一部を閉塞している。そして、補助具本体２２に一体形成された壁状体２３及び溝Ｍも、トラフ１１の周方向におけるカバー体１５に沿って延びている。このため、補助具本体２２によって、ベース体１４の開口における長さ方向の一部がトラフ１１の周方向に沿って覆われている。
【００３８】
また、連結補助具２１の嵌入部２４が嵌入凹部１４ｍに嵌入して、補助具本体２２が、両ベース体１４に対して位置決めされ、トラフ１１の長さ方向への移動が規制されている。さらに、壁状体２３とカバー内側凹条１５ｄとの係合により、補助具本体２２が、両カバー体１５に対して位置決めされ、カバー体１５、ひいてはトラフ１１の長さ方向への移動が規制されている。
【００３９】
そして、補助具本体２２の上側には隣接するカバー体１５の端縁が位置する。このため、該端縁間に形成された、トラフ１１の上半分の周方向へ延びる隙間Ｓは、補助具本体２２によって内側から閉鎖される。したがって、カバー体１５間に隙間Ｓが開放されて、隙間Ｓからトラフ１１内のケーブルＫが視認可能となることが防止されるとともに、埃がトラフ１１内へ侵入することが防止される。
【００４０】
また、長尺物収容装置１０が雨水等に曝されたとしても、隙間Ｓを通過した雨水は溝Ｍ内に収容される。このとき、溝Ｍの底面をなす補助具本体２２の上面は逆Ｕ字状に形成されて湾曲しているため、雨水は補助具本体２２の上面によってトラフ１１の幅方向両側部側へ案内される。すなわち、連結補助具２１の溝Ｍによって、雨水はトラフ１１の幅方向両側部側へと排水される。また、壁状体２３が補助具本体２２上面から壁状に立設されているため、雨水がトラフ１１の長さ方向へ流れても壁状体２３によってトラフ１１の内側へさらに流れることが防止され、該トラフ１１内に侵入することが防止される。したがって、隣接するカバー体１５の間に隙間Ｓが形成されていても、該隙間Ｓからトラフ１１内へ雨水が浸入することを阻止できる。
【００４１】
上記の実施形態によれば、以下のような特徴を得ることができる。
（１）隣接するカバー体１５の連結箇所の内側に連結補助具２１が配設された状態では、トラフ１１の周方向に延びる隙間Ｓに沿って補助具本体２２が位置し、この補助具本体２２によって隙間Ｓを閉鎖することができる。したがって、長尺物収容装置１０において、トラフ１１の連結箇所に形成される隙間Ｓからトラフ１１内が視認不能となり美観の低下を防止できる。また、隙間Ｓからトラフ１１内へ埃を侵入しにくくすることができる。
【００４２】
（２）隣接するベース体１４のベース内側凹条１４ｃ内に連結部材３１の嵌合部３３を嵌合することによりベース体１４同士が連結される。したがって、例えば隣接するトラフの端部をその外側から連結具で包囲していた従来のように、トラフ１１の設置状態が不安定になったり、トラフ１１の外周面と連結具の外面とが同一面上に位置せず美観の低下を招くということがなくなる。
【００４３】
（３）隣接するカバー体１５の連結箇所の内側に連結補助具２１が配設された状態では、連結補助具２１の当接部２５がベース体１４の開口上端１４ｋに当接し、連結補助具２１がベース体１４側へ移動しないように支持されている。したがって、隙間Ｓを補助具本体２２によって閉鎖した状態が維持できる。
【００４４】
（４）隣接するカバー体１５の連結箇所の内側に連結補助具２１が配設された状態では、連結補助具２１の嵌入部２４がベース体１４の嵌入凹部１４ｍに嵌入し、さらに、壁状体２３がカバー体１５のカバー内側凹条１５ｄに係合している。このため、上記嵌入及び係合によって連結補助具２１がトラフ１１の長さ方向へ移動しないように位置決めされ、隙間Ｓを補助具本体２２によって閉鎖した状態が維持できる。
【００４５】
（５）補助具本体２２の上面に一対の壁状体２３が対向して形成されて、補助具本体２２及び壁状体２３によって溝Ｍが形成されている。そして、隣接するカバー体１５の間には、隙間Ｓに向かって開口する溝Ｍが設けられている。したがって、溝Ｍによって隙間Ｓを通過した雨水がトラフ１１内に侵入することを確実に防止することができる。
【００４６】
なお、上記実施形態に係る長尺物収容装置１０及び連結補助具２１は本発明の一実施形態を示すものにすぎず、それぞれ、本発明の趣旨から逸脱しない範囲で変形することが可能である。例えば、以下に記すように変形することも可能であり、また、各変形例を、互いに矛盾しない範囲内で適宜組み合わせて実施することも可能である。
【００４７】
・  実施形態では、壁状体２３がカバー体１５のカバー内側凹条１５ｄに係合可能な高さに立設したが、壁状体２３は、カバー内側凹条１５ｄに係合しない高さに形成されていてもよい。すなわち、壁状体２３は、雨水等のトラフ１１内側への流れを遮断し、雨水がトラフ１１内に侵入するのを防止可能であれば、その高さは任意に変更してもよい。
【００４８】
・  実施形態では、位置決め手段として、嵌入部２４と嵌入凹部１４ｍとの嵌入による構成としたが、別の位置決め手段によって連結補助具２１を位置決めしてもよい。例えば、ベース体１４又はカバー体１５の開口両端を形成する相対向する側壁の弾性変形に伴う連結補助具２１の押圧によって、連結補助具２１をベース体１４又はカバー体１５に位置決めしてもよい。さらには、連結補助具２１をベース体１４又はカバー体１５にビス固定等して位置決めしてもよい。また、壁状体２３とカバー内側凹条１５ｄとの係合のみにより、連結補助具２１をカバー体１５に位置決めしてもよい。
【００４９】
・  実施形態では、補助具本体２２の上面と一対の壁状体２３によって溝Ｍを形成したが、補助具本体２２の上面を断面Ｕ字状やすり鉢状に形成し、その内側に溝Ｍを形成してもよい。
【００５０】
・  実施形態では、ベース体１４の開口上端１４ｋに当接部２５を当接させることによって、連結補助具２１をベース体１４に支持させ、ベース体１４の開口を形成する一対の側壁の内側から補助具本体２２を架設したが、ベース体１４の開口を形成する側壁の上端に補助具本体２２を支持させて該補助具本体２２を架設してもよい。
【００５１】
・  実施形態の長尺物収容装置１０において、ベース体１４の凹部及び凸部を省略し、カバー体１５のみに凹部及び凸部を形成したトラフ１１としてもよい。
・  実施形態において、ベース体１４一体の長さを、２個以上のカバー体１５を連結補助具２１によって連結した長さとしてもよい。そして、一体のベース体１４に対して複数のカバー体１５を組付け、隣接するカバー体１５同士の間に連結補助具２１を設けてもよい。
【００５２】
・  実施形態の連結部材３１を使用せず、ベース体１４同士を、ベース体１４の外面側から連結する連結部材によって連結してもよい。すなわち、連結補助具２１は、ベース体１４とカバー体１５とを組付けて長尺物を収容可能としたとき、カバー体１５の端縁間の隙間Ｓを閉鎖するために設けられるものであるため、ベース体１４同士の連結方法は実施形態に記載の連結部材３１を使用するだけに限定されない。
【００５３】
・  嵌入突起２４ａを省略してもよい。
・  また、長尺物収容装置として、エアコン用配管を内部に収容して保護する保護管装置や排水管等を内部に収容して保護する排水管保護装置に具体化してもよい。
【００５４】
・  実施形態では、トラフ１１内にケーブルＫを敷設したが、トラフ１１内に管類としての電線管、パイプ、ケーブル保護管等を収容してもよい。
上記実施形態及び別例から把握できる技術的思想について記載する。
【００５５】
（１）前記補助具本体は、前記カバー体の開口を形成する一対の側壁に当接する当接部を備える請求項７〜請求項９のいずれか一項に記載の連結補助具。
（２）前記壁状体は、カバー体の前記凸部の内側に係合可能に形成されている請求項４に記載の長尺物収容装置。
【００５６】
（３）前記連結補助具は、前記ベース体の開口を長さ方向の一部を閉塞すべく該開口を形成する一対の側壁に架設され隣接するカバー体の間に形成された隙間を閉塞する補助具本体よりなる請求項１〜請求項６のいずれか一項に記載の長尺物収容装置。
【図面の簡単な説明】
【００５７】
【図１】実施形態の長尺物収容装置を示す断面図。
【図２】実施形態のトラフ、連結補助具を示す斜視図。
【図３】実施形態の連結補助具及び連結部材を示す斜視図。
【図４】実施形態の長尺物収容装置を示す断面図。
【図５】特許文献１に記載の連結具を示す斜視図。
【図６】従来技術の連結具を示す断面図。
【符号の説明】
【００５８】
Ｋ…ケーブル類としてのケーブル、Ｍ…溝、Ｓ…隙間、１０…長尺物収容装置、１１…長尺物収容材としてのトラフ、１４…ベース体、１４ａ…凸部としてのベース外側凸条、１４ｂ…凸部としてのベース内側凸条、１４ｃ…凹部としてのベース内側凹条、１４ｄ…凹部としてのベース外側凹条、１４ｍ…嵌入凹部、１５…カバー体、１５ａ…凸部としてのカバー外側凸条、１５ｂ…凸部としてのカバー内側凸条、１５ｄ…凹部としてのカバー内側凹条、１５ｅ…凹部としてのカバー外側凹条、２１…連結補助具、２２…補助具本体、２３…壁状体、２４…嵌入部、３１…連結部材。
【図１】
2005341682.tif 000003
【図２】
2005341682.tif 000004
【図３】
2005341682.tif 000005
【図４】
2005341682.tif 000006
【図５】
2005341682.tif 000007
【図６】
2005341682.tif 000008